(57)【要約】【課題】ブレーキ装置及び駆動系に過負荷をかけることなく短時間で摩擦部材と被制動部材との摺り合せを行うことができる電動パーキングブレーキ制御装置を提供する。【解決手段】摩擦部材を被制動部材に押し付けることで制動力を発生させ、押付け力を電動アクチュエータ２０により可変制御可能な電動パーキングブレーキ制御装置４０を、摩擦部材と被制動部材とを車両が走行可能な程度の押付け力で押し付ける摺り合せモードが選択可能な入力部４３と、摩擦部材と被制動部材との間で発生している制動力に相関するパラメータを検出する制動力検出部４１と、前記摺り合せモードの選択時に、前記パラメータの増大に応じて押付け力を減少させる制御部４１とを備える構成とする。【選択図】図３
2009208713.tif 000002
【特許請求の範囲】
【請求項１】
摩擦部材を被制動部材に押し付けることで制動力を発生させ、押付け力を電動アクチュエータにより可変制御可能な電動パーキングブレーキ制御装置において、
摩擦部材と被制動部材とを車両が走行可能な程度の押付け力で押し付ける摺り合せモードが選択可能な入力部と、
摩擦部材と被制動部材との間で発生している制動力に相関するパラメータを検出する制動力検出部と、
前記摺り合せモードの選択時に、前記パラメータの増大に応じて前記押付け力を減少させる制御部と
を備えることを特徴とする電動パーキングブレーキ制御装置。
【請求項２】
前記制御部は、前記摺り合せモードの選択時に、前記制動力に相関するパラメータが第１の所定値を上回った際に前記押付け力の減少を開始するとともに、前記制動力に相関するパラメータが前記第１の所定値よりも大きい第２の所定値を上回った際に前記押付け力を解除して前記摺り合せモードを終了すること
を特徴とする請求項１に記載の電動パーキングブレーキ制御装置。
【請求項３】
前記制動力に相関するパラメータは、車両の走行用動力源による推定駆動トルクであることを特徴とする請求項１に記載の電動パーキングブレーキ制御装置。
【請求項４】
前記制動力に相関するパラメータは、摺り合せモード選択後における前記摩擦部材と前記被制動部材との摺動時間であることを特徴とする請求項１又は請求項２に記載の電動パーキングブレーキ制御装置。
【請求項５】
前記制動力に相関するパラメータは、摺り合せモード選択後における前記摩擦部材と前記被制動部材との累積摺動量に相関するパラメータであることを特徴とする請求項１又は請求項２に記載の電動パーキングブレーキ制御装置。
【請求項６】
前記制動力に相関するパラメータは、車両の走行用動力源の出力をほぼ一定に維持した際の前記被制動部材の回転速度低下量であることを特徴とする請求項１又は請求項２に記載の電動パーキングブレーキ制御装置。
【発明の詳細な説明】
【技術分野】
【０００１】
本発明は、自動車等の車両に備えられる電動パーキングブレーキを制御する制御装置に関するものである。
【背景技術】
【０００２】
電動パーキングブレーキは、車両の駐停車時等に制動を行うパーキングブレーキを、例えばモータ等の電動アクチュエータを用いて駆動するものである。
このような電動パーキングブレーキは、運転者が電気的なスイッチによって操作できるから、一般的な手動レバーや足踏みペダルによる操作に対して労力が低減され、また、車両の状態に応じて自動的に作動させることによって、ＡＴクリープや坂道の傾斜等に起因する運転者の意図しない車両の動き出しを防止することができ、安全性の向上にも寄与するものである。
【０００３】
また、従来よりパーキングブレーキは、例えば新車組立時のようにブレーキシューやパッド等の摩擦部材や、ドラムやロータ等の被制動部材が新品である場合には、これらが相互に摺動する摩擦部を摺り合わせて摩擦係数を向上させ、制動力を確保するため、ならし運転による摺り合せが行われる。
この摺り合せは、手動式のパーキングブレーキにおいては、例えば作業者が通常の駐車時よりも小さい制動力となるように手加減しながらレバーを引いた状態で、車両を実際に走行させて行っていた。
【０００４】
従来、電動パーキングブレーキ装置におけるならし運転に関する技術として、例えば特許文献１には、所定の走行距離にわたって車両が駐車状態を維持するのに必要なブレーキ力よりも小さなブレーキ力を発生するように制御する、当たりつけモードを有する電動駐車ブレーキ装置が記載されている。
また、例えば特許文献２には、車両の走行距離、運転に関する所定の操作の回数、車両使用開始からの経過時間が所定値に達するまでの間、微小な引き摺りを発生させて摩擦部材と被制動部材との摺り合せをするようにしたパーキングブレーキ装置が記載されている。
【特許文献１】特開２００６−８２６８８号公報
【特許文献２】特開２００６−１３７２５７号公報
【発明の開示】
【発明が解決しようとする課題】
【０００５】
通常、摩擦部材と被制動部材との間の摩擦係数は、摺り合せの進行とともに増大する。このため、摩擦部材を一定の押し付け力で被制動部材に押し付けて摺り合せを行うと、摺り合せが進むにつれてパーキングブレーキの制動力が増大し、ブレーキ装置や、エンジン、動力伝達機構等の駆動系にかかる負荷が大きくなる。これに対し、摺り合せが進行しても制動力が過度に大きくならないように、初期の制動力を低く設定した場合には、摩擦係数が増大するまでに時間がかかり、摺り合せに要する時間が長くなってしまう。
本発明の課題は、ブレーキ装置及び駆動系に過負荷をかけることなく短時間で摩擦部材と被制動部材との摺り合せを行うことができる電動パーキングブレーキ制御装置を提供することである。
【課題を解決するための手段】
【０００６】
本発明は、以下のような解決手段により、上述した課題を解決する。
請求項１の発明は、摩擦部材を被制動部材に押し付けることで制動力を発生させ、押付け力を電動アクチュエータにより可変制御可能な電動パーキングブレーキ制御装置において、摩擦部材と被制動部材とを車両が走行可能な程度の押付け力で押し付ける摺り合せモードが選択可能な入力部と、摩擦部材と被制動部材との間で発生している制動力に相関するパラメータを検出する制動力検出部と、前記摺り合せモードの選択時に、前記パラメータの増大に応じて前記押付け力を減少させる制御部とを備えることを特徴とする電動パーキングブレーキ制御装置である。
【０００７】
請求項２の発明は、前記制御部は、前記摺り合せモードの選択時に、前記制動力に相関するパラメータが第１の所定値を上回った際に前記押付け力の減少を開始するとともに、前記制動力に相関するパラメータが前記第１の所定値よりも大きい第２の所定値を上回った際に前記押付け力を解除して前記摺り合せモードを終了することを特徴とする請求項１に記載の電動パーキングブレーキ制御装置である。
請求項３の発明は、前記制動力に相関するパラメータは、車両の走行用動力源による推定駆動トルクであることを特徴とする請求項１に記載の電動パーキングブレーキ制御装置である。
請求項４の発明は、前記制動力に相関するパラメータは、摺り合せモード選択後における前記摩擦部材と前記被制動部材との摺動時間であることを特徴とする請求項１又は請求項２に記載の電動パーキングブレーキ制御装置である。
請求項５の発明は、前記制動力に相関するパラメータは、摺り合せモード選択後における前記摩擦部材と前記被制動部材との累積摺動量に相関するパラメータであることを特徴とする請求項１又は請求項２に記載の電動パーキングブレーキ制御装置である。
ここで、累積摺動量（摺動距離）に相関するパラメータは、典型的には車両の摺り合せ走行時における走行距離（トリップメータ読み）、被制動部材の累積回転数、被制動部材が取り付けられた車輪と当接するローラの累積回転数等である。
請求項６の発明は、前記制動力に相関するパラメータは、車両の走行用動力源の出力をほぼ一定に維持した際の前記被制動部材の回転速度低下量であることを特徴とする請求項１又は請求項２に記載の電動パーキングブレーキ制御装置である。
【発明の効果】
【０００８】
本発明によれば、以下の効果を得ることができる。
（１）摩擦部材と被制動部材との間で発生している制動力に相関するパラメータの増大に応じて押付け力を減少させることによって、制動力が過大となってブレーキ装置や車両の駆動系に過負荷をかけることがない。また、初期制動力を大きく設定できることから、摺り合せ効果を向上することができ、摺り合せに要する時間を短縮できる。
（２）制動力に相関するパラメータが第１の所定値を上回った際に押付け力の減少を開始し、第２の所定値を上回った際に押付け力を解除して摺り合せモードを終了することによって、摺り合せを適切な時期に終了することができ、摺り合せ時間が長くなったり摺り合せが不完全となることがない。
（３）車両の走行用動力源による推定駆動トルクを制動力に相関するパラメータとして用いることによって、制動力自体及び摩擦係数を直接測定できない場合であってもこれらを精度よく推定することができる。
（４）摩擦部材と被制動部材との摺動時間を制動力に相関するパラメータとして用いることによって、摺動時間と制動力との相関が予めわかっている場合には、センサ類等を用ることなく摺り合せモードにおける押付け力を良好に制御することができる。
（５）摩擦部材と被制動部材との累積摺動量に相関するパラメータを制動力に相関するパラメータとして用いることによって、例えば摺り合せ走行時の走行距離等に基づいて容易に検出することができる。
（６）車両の走行用動力源の出力をほぼ一定に維持した際の被制動部材の回転速度低下量を制動力に相関するパラメータとして用いることによって、例えば車両の車速センサ出力等に基づいて容易に検出することができる。
【発明を実施するための最良の形態】
【０００９】
本発明は、ブレーキ装置及び駆動系に過負荷をかけることなく短時間で摩擦部材と被制動部材との摺り合せを行うことができる電動パーキングブレーキ制御装置を提供する課題を、例えば車速一定の場合の駆動トルク、摺り合せ走行時間又は距離、駆動力ほぼ一定の場合の車輪速低下量といった制動力に相関するパラメータの増加に応じて、摩擦部材の被制動部材への押付け力を低減し、制動力を低下させることによって解決した。
【実施例１】
【００１０】
以下、本発明を適用した電動パーキングブレーキ制御装置の実施例１について説明する。
図１は、実施例１の制御装置を含む電動パーキングブレーキ装置の構成を示す概略図である。図２は、電動パーキングブレーキ装置の回路構成を示すブロック図である。
電動パーキングブレーキ装置は、パーキングブレーキ１０、アクチュエータユニット２０、バッテリ３０、コントローラ４０を備え、さらに車両側ユニット５０が接続されている。
【００１１】
パーキングブレーキ１０は、車両の車輪を制動することによって、例えば駐停車時等における車両の移動を防止する制動装置である。パーキングブレーキ１０は、車両の左右後輪のホイールハブ部にそれぞれ設けられている。パーキングブレーキ１０は、フットブレーキ（サービスブレーキ）として用いられるディスクブレーキのロータの内径側に配置されたドラムインハットタイプのブレーキドラム（被制動部材）と、制動時にこのブレーキドラムの内径側に押付けられ、摩擦によって制動力を発生する図示しないブレーキシュー（摩擦部材）とを備えている。
【００１２】
アクチュエータユニット２０は、パーキングブレーキ１０のブレーキシューを駆動し、パーキングブレーキ１０が制動力を発生する制動状態と、実質的に制動力を発生しない解除状態との間の移行を行うものである。アクチュエータユニット２０は、パーキングブレーキケーブル２１を備え、車両の例えばフロアパネル部に固定されている。
アクチュエータユニット２０は、例えば直流（ＤＣ）モータの回転力を減速ギア列によって減速してリードスクリュを回転させ、このリードスクリュにネジ結合されたイコライザによってパーキングブレーキケーブル２１を牽引し又は弛緩させるものである。
【００１３】
パーキングブレーキケーブル２１は、左右のパーキングブレーキ１０に対応してそれぞれ設けられ、図示しないリアサスペンションのストロークに応じて変形するよう可撓性を備えている。パーキングブレーキケーブル２１は、牽引されることによってパーキングブレーキ１０を制動状態とし、また弛緩されることによってパーキングブレーキ１０を解除状態とするものである。
ここで、アクチュエータユニット２０は、パーキングブレーキケーブル２１に負荷される牽引力（張力）を調整することによって、制動状態におけるブレーキドラムへのブレーキシューの押付け力を変化させ、パーキングブレーキ１０の制動力を調整する機能を備えている。この牽引力の調整は、アクチュエータユニット２０がパーキングブレーキケーブル２１を牽引するストロークを変化させることによって行われ、このためアクチュエータユニット２０は、このストロークを検出する図示しないストロークセンサが設けられている。
【００１４】
バッテリ３０は、車両の電装系の主電源として用いられる二次電池であって、例えば直流１２Ｖの端子電圧を発生するものである。バッテリ３０は、プラス端子３１、マイナス端子３２を備えている。
プラス端子３１は、コントローラ４０及び車両側ユニット５０に配線（ハーネス）を介して接続されている。
また、マイナス端子３２は、車両の車体（ボディ）に対して接地されている。
【００１５】
コントローラ４０は、ＥＣＵ４１、リレー４２、操作スイッチ４３を備える電動パーキングブレーキ制御装置である。
ＥＣＵ４１は、操作スイッチ４３、車両側ユニット５０等からの入力に応じてパーキングブレーキ１０の制動要否を判断するとともに、後述する自動摺り合せモード制御を行うＣＰＵを備えている。
また、ＥＣＵ４１は、車両側ユニット５０から提供される情報に基づいて、パーキングブレーキ１０のブレーキドラムとブレーキシューとの間で発生している制動力に相関するパラメータである制動トルクを推定する制動力検出部、及び、自動摺り合せモードの選択時に、このパラメータの増大に応じて制動力を減少させる制御部としても機能する。
【００１６】
リレー４２は、ＥＣＵ４１が出力する制御信号に応じて、アクチュエータユニット２０に対してその駆動電力を供給するものであって、パーキングブレーキ１０の制動状態から解除状態への移行、及び、解除状態から制動状態への移行を行うため、駆動電力の極性を反転させる機能を備えるとともに、アクチュエータユニット２０の駆動時以外は、アクチュエータユニット２０との導通を遮断した中立状態となっている。
【００１７】
操作スイッチ４３は、ユーザがパーキングブレーキ１０のオートモードとマニュアルモードとの選択操作、及び、マニュアルモードの場合には制動状態、解除状態のマニュアルによる選択操作を入力する入力部であって、例えば車両の図示しないインストルメントパネルに装着された押しボタンスイッチを備えている。操作スイッチ４３は、その入力をＥＣＵ４１に伝達し、ＥＣＵ４１はこれに応じてリレー４２を制御し、アクチュエータユニット２０に駆動電力を供給してパーキングブレーキ１０を駆動する。
また、操作スイッチ４３は、通常の操作パターンとは異なった操作パターンの入力によって、後述する自動摺り合せモードの選択操作を入力する機能を備えている。この点については後に詳しく説明する。
【００１８】
車両側ユニット５０は、例えば、車両のエンジンを制御するエンジン制御ユニット（ＥＣＵ）、トランスミッション（変速機）を制御するトランスミッション制御ユニット（ＴＣＵ）、ＡＢＳ制御を及びヨーコントロール制御を含む車両操安性制御を行う車両操安性制御ユニット、車両のその他の電装品を統括的に制御する車両統合ユニットを備え、コントローラ４０と車載ＬＡＮの一種であるＣＡＮ通信システムを介して通信するものである。
車両側ユニット５０は、ホイールハブに備えられ、磁気センサ等によって車輪の回転速度を検出する車速センサ５１が接続されている。
【００１９】
車両側ユニット５０は、コントローラ４０に対して、例えば、エンジン回転数、スロットル開度（エンジン吸入空気量）、燃料噴射量、トランスミッションのシフトポジション、フットブレーキの操作状況、車輪の回転速度等の情報を逐次提供する。コントローラ４０は、オートモードにおいては、これらの入力に基づいて、車両が走行状態から停車状態に移行したと判断した場合には、パーキングブレーキ１０の制動要と判断し、アクチュエータユニット２０に駆動電力を供給してパーキングブレーキ１０を解除状態から制動状態に移行させる。一方、コントローラ４０は、車両が停車状態から走行状態に移行すると判断した場合には、パーキングブレーキ１０を制動状態から解除状態に移行させる。
【００２０】
ここで、このときにパーキングブレーキ１０が発生する制動力は、そのときの車両のＡＴクリープ力、路面の傾斜度等を考慮して車両の動き出しを防止するように設定され、アクチュエータユニット２０は、制動力及び運転時におけるブレーキドラムとブレーキシューとの摩擦係数を考慮して予め設定されたストロークだけパーキングブレーキケーブル２１を牽引する。
【００２１】
次に、実施例１の電動パーキングブレーキ装置のならし運転時における自動摺り合せモードの制御について説明する。このならし運転は、パーキングブレーキ１０が制動力を発生するブレーキシューとドラムとの摩擦部において、摩擦材の少なくとも一方に新品が組み込まれた場合に行うものであって、例えば新車組立後や、摩擦材の交換を伴う整備後に行われるものである。
本発明は、制動力に相関するパラメータに応じて、摺り合せ中のパーキングブレーキケーブル２１の牽引力を、制動トルクがほぼ一定となるように低下させている。この実施例１では、制動力に相関するパラメータとして、推定制動トルク及び摺り合せ走行時間（ブレーキドラムとブレーキシューとの摺動時間）を用いる。
【００２２】
図３は、自動摺り合せモードの制御を示すフローチャートである。以下、ステップ毎に順を追って説明する。
＜ステップＳ０１：摺り合せモード選択有無判断＞
コントローラ４０のＥＣＵ４１は、操作スイッチ４３によって自動摺り合せモードが選択されたか否かを判断し、自動摺り合せモードが選択されている場合はステップＳ０２に進み、選択されていない場合はステップＳ０１を繰り返す。
＜ステップＳ０２：初期制動力発生・走行開始＞
ＥＣＵ４１は、アクチュエータユニット２０を駆動してパーキングブレーキケーブル２１を牽引させ、パーキングブレーキ１０のブレーキシューをブレーキドラムに押し付けて初期制動力を発生させる。このときの初期制動力は、車両の駐車時や動的制動時における制動力よりも小さく、車両の走行を妨げない程度に設定される。
そして、作業者が車両をフリーローラ上等で運転し、パーキングブレーキ１０を引き摺った状態で車両の走行（制動輪の回転）を開始する。このとき、作業者は、車両の速度（スピードメータ読み）が所定の目標速度を維持するようにスロットル操作を行う。
その後、ステップＳ０３に進む。
【００２３】
＜ステップＳ０３：制動トルク判断＞
ＥＣＵ４１は、パーキングブレーキ１０の制動トルク（ブレーキシューとの摩擦力に打ち勝ってブレーキドラムを回転させるのに必要なトルク）を推定するとともに、推定された制動トルクが予め設定された規定トルクよりも大きいか否かを判断する。制動トルクが規定トルクよりも大きい場合にはステップＳ０４に進み、その他の場合にはステップＳ０３を繰り返す。
ここで、制動トルクは、例えば、車両側ユニット５０のエンジン制御ユニットから提供されるスロットル開度、燃料噴射量に関する情報に基づいて求められるエンジンの推定出力トルクに、トルクコンバータによるトルク増幅比、トランスミッションにおける変速比、最終減速部における最終減速比、駆動系の効率等を乗じて求められる推定駆動トルクと釣り合っていると考えられる。
規定トルクは、初期制動トルクよりもわずかに大きく設定されており、摺り合せ開始直後には規定トルクのほうが制動トルクよりも大きい。摺り合せの進行とともにブレーキシューとブレーキドラムとの摩擦係数が増大すると、ある時点で制動トルクが規定トルクを上回るようになっている。
【００２４】
＜ステップＳ０４：制動力減少＞
ＥＣＵ４１は、アクチュエータユニット２０を駆動してパーキングブレーキケーブル２１の牽引力を緩め、パーキングブレーキ１０の制動力を初期制動力とほぼ同じ程度まで減少させる。
ここで、制動力の減少量及び上述した規定トルクは、アクチュエータユニット２０による制動力調節の分解能を考慮して設定される。すなわち、制動力の減少量は、このアクチュエータユニット２０の分解能よりも十分に大きく設定される。このとき、規定トルクは制動力減少時の制動トルク低下分だけ初期制動トルクよりも大きい値に設定することによって、制動力の減少時に制動トルクを初期制動トルクまで戻すことができる。
その後、ステップＳ０５に進む。
【００２５】
＜ステップＳ０５：摩擦係数判断＞
ＥＣＵ４１は、上述した制動トルク及びパーキングブレーキケーブル２１の牽引力に基づいて推定されるブレーキドラムとブレーキシューとの摩擦係数が、予め設定された規定摩擦係数よりも大きい場合には、自動摺り合せモードを完了可能と判断して一連の処理を終了し、パーキングブレーキ１０を解除する。一方、その他の場合には、ステップＳ０６に進む。
【００２６】
＜ステップＳ０６：摺り合せ時間判断＞
ＥＣＵ４１は、車両の摺り合せ走行が行われた時間が予め設定された規定時間を超過しているか否か判断し、超過している場合は処理を終了し、パーキングブレーキ１０を解除する。一方、規定時間を未だ超過していない場合はステップＳ０３に戻り、それ以降の処理を繰り返す。
【００２７】
以下、上述した実施例１の効果を、以下説明する本発明の比較例と対比して説明する。
なお、この比較例及び後述する各実施例においては、上述した実施例１と実質的に同様の箇所については同じ符号を付して説明を省略し、主に相違点について説明する。
比較例の電動パーキングブレーキ装置は、摺り合わせモードにおけるパーキングブレーキケーブル２１の牽引力をほぼ一定に維持するものである。
図４及び図５は、それぞれ実施例１及び比較例におけるパーキングブレーキケーブル２１の牽引力及び制動トルクの履歴を示すグラフである。
【００２８】
図５に示す比較例の場合には、摺り合せの進行に伴いブレーキドラムとブレーキシューとの摩擦係数が増大すると、制動トルクも増大する。ここで、摺り合せ末期における制動トルクが過大になると、ブレーキ装置やエンジン、トランスミッション等の駆動系の負担も大きくなる。そこで、摺り合せ末期における制動トルクが駆動系等に過負荷を生じさせないようにパーキングブレーキケーブル２１の牽引力を設定すると、初期制動力が小さくなり、摺り合せ作業に要する時間が長くなる。
【００２９】
これに対し、図４の示す実施例１の場合には、制動トルクの増大に応じてパーキングブレーキケーブル２１の牽引力を小さくして制動力を初期制動力近傍まで戻す制御を行っていることから、制動トルクが過度に大きくなって車両の駆動系等に過負荷をかけることがない。また、初期制動トルクを大きくすることができるから、特に摺り合せ初期における摺り合せ効果を高くすることができ、摺り合せ作業に必要な時間を短縮することができる。
【００３０】
また、ブレーキドラムとブレーキシューとの摩擦係数を推定し、この推定値に基づいて摺り合せモードの終了を判断しているため、十分な摺り合せがなされているにも関わらず摺り合せが続行されて作業時間が長くなったり、ブレーキシューの磨耗が進んでしまうことがない。また、摺り合せが不足であるにもかかわらず摺り合せモードが終了されることがなく、確実な摺り合せを実施することができる。
さらに、推定摩擦係数に加えて、摺り合せ走行時間に基づいて摺り合せモードの終了を判断することによって、例えば摩擦係数の検出エラー等があった場合でも摺り合せモードを適切に終了することができる。
【実施例２】
【００３１】
次に、本発明を適用した電動パーキングブレーキ制御装置の実施例２について説明する。実施例２は、本発明にいう制動力に相関するパラメータとして、車両の走行距離（ブレーキドラムのブレーキシューに対する摺動量に相関するパラメータ）を用いる。なお、ここでいう走行距離とは、車両の実際の移動距離に限らず、例えばフリーローラ上で車両を運転した場合の模擬的な走行距離も含むものとする。
実施例２においては、コントローラ４０のＥＣＵ４１は、車両側ユニット５０のエンジン制御ユニット等から提供される車両の走行距離情報に基づいて、摺り合せ走行を行った距離を累積するトリップメータ機能を備えている。
【００３２】
図６は、実施例２の電動パーキングブレーキ制御装置における自動摺り合せモードの制御を示すフローチャートである。以下、ステップ毎に順を追って説明する。
＜ステップＳ１１：摺り合せモード選択有無判断＞
コントローラ４０のＥＣＵ４１は、操作スイッチ４３によって自動摺り合せモードが選択されたか否かを判断し、自動摺り合せモードが選択されている場合はステップＳ１２に進み、選択されていない場合はステップＳ１１を繰り返す。
【００３３】
＜ステップＳ１２：走行距離リセット＞
ＥＣＵ４１は、そのトリップメータ機能における走行距離をリセットし、ステップＳ１３に進む。
＜ステップＳ１３：初期制動力発生・走行開始＞
ＥＣＵ４１は、アクチュエータユニット２０を駆動してパーキングブレーキケーブル２１を牽引させ、パーキングブレーキ１０のブレーキシューをブレーキドラムに押し付けて初期制動力を発生させる。
そして、作業者が車両をローラ上あるいは実走行路上で運転し、パーキングブレーキ１０を引き摺った状態で車両の走行を開始する。このとき、作業者は、車両の速度（スピードメータ読み）が所定の目標速度を維持するようにスロットル操作を行う。
その後、ステップＳ１４に進む。
【００３４】
＜ステップＳ１４：走行距離更新＞
ＥＣＵ４１は、トリップメータの走行距離情報を、車速センサ５１の出力に基づいた最新の走行距離情報に更新し、ステップＳ１５に進む。
＜ステップＳ１５：走行距離判断１＞
ＥＣＵ４１は、トリップメータが保持する現在の走行距離が、規定距離１よりも大きいか否かを判断し、走行距離が規定距離１よりも大きい場合にはステップＳ１６に進み、その他の場合にはステップＳ１４に戻り、それ以降の処理を繰り返す。
【００３５】
＜ステップＳ１６：制動力減少、規定距離１増加＞
ＥＣＵ４１は、アクチュエータユニット２０を駆動してパーキングブレーキケーブル２１の牽引力を緩め、ブレーキドラムに対するブレーキシューの押付け力を小さくして、パーキングブレーキ１０の制動力を初期制動力とほぼ同じ程度まで減少させる。
また、ＥＣＵ４１は、上述したステップＳ１５での判定に用いられる規定距離１を、従前の規定距離１に所定値αを加算した値で更新し、規定距離１を増大させる。
その後、ステップＳ１７に進む。
【００３６】
＜ステップＳ１７：走行距離判断２＞
ＥＣＵ４１は、トリップメータが保持する現在の走行距離が、予め設定された規定距離２よりも大きいか否かを判断し、走行距離が規定距離２よりも大きい場合には自動摺り合せモードを完了可能と判断して一連の処理を終了し、パーキングブレーキ１０を解除する。一方、その他の場合には、ステップＳ１４に戻り、それ以降の処理を繰り返す。
以上説明した実施例２においても、摺り合せ走行における走行距離に応じたブレーキドラムとブレーキシューとの摩擦係数、制動トルクの変動について実験的にデータが得られている場合には、上述した実施例１の効果と同様の効果を得ることができる。
【実施例３】
【００３７】
次に、本発明を適用した電動パーキングブレーキ制御装置の実施例３について説明する。実施例３では、摺り合せ走行中の車両の速度（車輪速＝ブレーキドラムの回転速度）を制動力に関するパラメータとして用いる。
図７は、実施例３の電動パーキングブレーキ制御装置における自動摺り合せモードの制御を示すフローチャートである。以下、ステップ毎に順を追って説明する。
＜ステップＳ２１：摺り合せモード選択有無判断＞
コントローラ４０のＥＣＵ４１は、操作スイッチ４３によって自動摺り合せモードが選択されたか否かを判断し、自動摺り合せモードが選択されている場合はステップＳ２２に進み、選択されていない場合はステップＳ２１を繰り返す。
【００３８】
＜ステップＳ２２：制動力発生＞
ＥＣＵ４１は、アクチュエータユニット２０を駆動してパーキングブレーキケーブル２１を牽引させ、パーキングブレーキ１０のブレーキシューをブレーキドラムに押し付けて初期制動力を発生させる。
その後、ステップＳ２３に進む。
＜ステップＳ２３：出力一定走行開始＞
作業者が車両をローラ上あるいは実走行路上で運転し、パーキングブレーキ１０を引き摺った状態で車両の走行を開始する。このとき、作業者は、先ず車両の走行速度（スピードメータ読み）が所定の目標速度となるまで加速し、その後、車両のエンジン出力を現時点での出力に維持するように、スロットル開度をほぼ一定に保持する。
その後、ステップＳ２４に進む。
【００３９】
＜ステップＳ２４：車両速度判断＞
ＥＣＵ４１は、摺り合せの進行による制動トルクの増大によって、車速センサ５１の出力に基づいて検出される車両速度（車輪速）が、予め設定された設定下限速度を下回ったか否かを判断し、走行速度が設定下限速度を下回った場合にはステップＳ２５に進み、その他の場合にはステップＳ２５をスキップしてステップＳ２６に進む。
【００４０】
＜ステップＳ２５：制動力減少＞
ＥＣＵ４１は、アクチュエータユニット２０を駆動してパーキングブレーキケーブル２１の牽引力を緩め、パーキングブレーキ１０の制動力を初期制動力とほぼ同じ程度まで減少させる。これによって、車両速度は、摺り合せ走行開始直後の速度付近まで向上する。
その後、ステップＳ２６に進む。
【００４１】
＜ステップＳ２６：終了条件充足判断＞
ＥＣＵ４１は、予め設定された摺り合せモードの終了条件が充足したか否かを判断し、充足した場合は一連の処理を終了し、パーキングブレーキ１０を解除する。一方、その他の場合には、ステップＳ２４に戻り、それ以降の処理を繰り返す。
ここで、終了条件としては、例えば、実施例１、２において説明したような、推定摩擦係数、摺り合せ走行時間、摺り合せ走行距離等を、単独又は組み合わせて用いることができる。
以上説明した実施例３においても、出力一定での摺り合せ走行における速度低下に応じたブレーキドラムとブレーキシューとの摩擦係数、制動トルクの変動について実験的にデータが得られている場合には、上述した実施例１の効果と同様の効果を得ることができる。
【００４２】
（変形例）
本発明は、以上説明した実施例に限定されることなく、種々の変形や変更が可能であって、それらも本発明の技術的範囲内である。
（１）実施例の電動パーキングブレーキ制御装置は、その構成要素の全てを車両に搭載したものであったが、本発明はこれに限らず、例えば、その一部の機能を車両に対して着脱可能でありかつ車両側の電動パーキングブレーキ装置と通信が可能な端末機器等に備えるようにしてもよい。例えば、摺り合せモードの選択操作をする入力部や、摺り合せモードにおけるアクチュエータの駆動制御を行う制御部の機能を、携帯式等の端末機器に設けてもよい。
（２）本発明の制御装置が適用される電動パーキングブレーキの構成は、各実施例のものに限定されず、他の構成を有するものであってもよい。
例えば、実施例のパーキングブレーキは、フットブレーキ用のブレーキディスクの内径側に配置されたインハットタイプのドラムを用いるものであるが、パーキングブレーキの形式は他の形式であってもよく、例えば、フットブレーキ用のディスクブレーキ及びドラムブレーキとその摩擦材を共用し、パーキングブレーキと一体化したものであってもよい。
また、実施例のパーキングブレーキは、ボディ側に固定された電動アクチュエータを用い、パーキングブレーキケーブルを介してパーキングブレーキを駆動するものであったが、本発明はこれに限らず、例えば電動アクチュエータをホイールハブ側に設けてパーキングブレーキと一体化したいわゆるビルトイン型の電動パーキングブレーキにも適用することができる。
（３）各実施例では、摺り合せモードにおける走行は、例えばフリーローラ上で行っているが、安全に実走行が行える場所が確保されている場合には、車両を路上で走行させて摺り合せを行うようにしてもよい。
（４）各実施例では、摺り合せ走行では作業者がスロットル操作を行っているが、本発明はこれに限らず、例えば車速センサの出力に基づいて電子制御スロットルを自動制御してもよい。
（５）各実施例では、摩擦部材の被制動部材への押付け力をステップ状に変化させているが、これに限らず、連続的に変化させるようにしてもよい。
【図面の簡単な説明】
【００４３】
【図１】本発明を適用した制御装置の実施例１を含む電動パーキングブレーキ装置の構成を示す概略図である。
【図２】図１の電動パーキングブレーキ装置の回路構成を示すブロック図である。
【図３】図１の電動パーキングブレーキ装置の自動摺り合せモードにおける制御を示すフローチャートである。
【図４】図１の電動パーキングブレーキ装置の自動摺り合せモードにおけるケーブル牽引力と制動力の履歴を示すグラフである。
【図５】本発明の比較例である電動パーキングブレーキ装置の自動摺り合せモードにおけるケーブル牽引力と制動力の履歴を示すグラフである。
【図６】本発明を適用した電動パーキングブレーキ制御装置の実施例２の自動摺り合せモードにおける制御を示すフローチャートである。
【図７】本発明を適用した電動パーキングブレーキ制御装置の実施例３の自動摺り合せモードにおける制御を示すフローチャートである。
【符号の説明】
【００４４】
１０    パーキングブレーキ            ２０    アクチュエータユニット
２１    パーキングブレーキケーブル
３０    バッテリ                      ４０    コントローラ
４１    ＥＣＵ                        ４２    リレー
４３    操作スイッチ                  ５０    車両側ユニット
５１    車速センサ
【図１】
2009208713.tif 000003
【図２】
2009208713.tif 000004
【図３】
2009208713.tif 000005
【図４】
2009208713.tif 000006
【図５】
2009208713.tif 000007
【図６】
2009208713.tif 000008
【図７】
2009208713.tif 000009